Podtech/llm-jp-corpus-v4-ja_patent huggingface dataset:
(57)【要約】      （修正有）【課題】識別速度と正確性をアップできる業務用ゲーム機用コインの識別システムを提供する。【解決手段】本業務用ゲーム機用コインは円形片体であり、コインの同心円上に分布する識別貫通孔を設け、該識別貫通孔は形状が規則的な点状孔とし、また、その識別装置は、コインをスライド式にちょうど通過させるコイン導入通路中に識別センサを設け、識別センサは複数対のホトセンサで構成し、各対のホトセンサはコイン導入通路の両側に位置する発光極と受光極を包含し、且つ各ホトセンサはコインの識別貫通孔に対応する同心円上に配列され、同心円の中心とコイン導入通路底端との距離はコインの半径と一致し、これにより、コインが転がりながら或いはスライドして識別センサを通過する時、コインの中心がホトセンサが分布する同心円が重なり合う瞬間に、コインの識別貫通孔を通過する光線と位置のデータを検出し、コインに対する検出を行う。【選択図】図２
0003164219.tif 000002
【実用新案登録請求の範囲】
【請求項１】
業務用ゲーム機用コインの識別システムにおいて、ゲーム機用コインと識別装置からなり、該ゲーム機用コインは円形片体とされて、該円形片体の中心を中心とする同心円上に分布する識別貫通孔を有し、該識別装置は、コイン導入通路と、該コイン導入通路に取り付けられて該ゲーム機用コインをスライド式にちょうど通過させる識別センサを包含し、該識別センサは複数対のホトセンサで構成され、各対の該ホトセンサは該コイン導入通路の前後側に位置する発光極と受光極を包含し、且つ各ホトセンサは該業務用ゲーム機用コインの該識別貫通孔に対応する同心円上に配列され、該同心円の中心と該コイン導入通路底端との距離はコインの半径と一致し、該ホトセンサと機具内の比較器が接続され、該比較器中に標準データが保存されていることを特徴とする、業務用ゲーム機用コインの識別システム。
【請求項２】
請求項１記載の業務用ゲーム機用コインの識別システムにおいて、該識別貫通孔は規則的形状の点状孔とされたことを特徴とする、業務用ゲーム機用コインの識別システム。
【考案の詳細な説明】
【技術分野】
【０００１】
本考案は業務用ゲーム機用コイン及びその識別装置からなる業務用ゲーム機用コインの識別システムに関する。
【背景技術】
【０００２】
コイン式の業務用ゲーム機は一般的なゲーム機であり、プレイヤーは通常、専用のゲーム機用コインをゲーム機中に投入してプレイする。しかし、このようなゲームが行える場所は多く、プレイヤーが異なったゲーム場所でゲーム機用コインを混用するのを防止するため、各ゲーム場所が提供する専用のゲーム機用コイン構造とその識別はいずれも差異がある。一般に、ゲーム機用コインの本体には円弧形スリットが設けられ、対応する識別装置には十字型のホトセンサ分布方式が採用され、ゲーム機用コインが識別装置を通過する時、ホトセンサがゲーム機用コイン上の円弧形スリットの長さと位置を走査し、並びに比較識別する。上述の構造原理からわかるように、識別装置のゲーム機用コインの識別にかかる時間は比較的長く、且つ識別速度もまた遅く、このため、再度改良の必要がある。
【考案の概要】
【考案が解決しようとする課題】
【０００３】
本考案の主要な目的は、業務用ゲーム機用コインの識別速度と正確性をアップできる業務用ゲーム機用コインの識別システムを提供することにある。
【課題を解決するための手段】
【０００４】
本考案によると、円形片体であるゲーム機用コインの、片体の同心円上に、同心円上に分布する識別貫通孔を設け、該識別貫通孔は形状が規則的な点状孔とし、また、その識別装置は、コインをスライド式にちょうど通過させるコイン導入通路中に識別センサを設け、識別センサは複数のホトセンサで構成し、各ホトセンサはコイン導入通路の両側に位置する発光極と受光極で包含し、且つ各ホトセンサはコインの識別貫通孔に対応する同心円上に配列され、同心円の中心からコイン導入通路底端の距離とコインの半径は一致し、これにより、コインが転がりながら或いはスライドして識別センサを通過する時、コインの中心がホトセンサが分布する同心円が重なり合う瞬間に、コインの識別貫通孔を通過する光線と位置のデータを検出し、コインに対する検出を行ない、並びに比較器中で保存された標準データと比較し、識別速度と正確性をアップする。
【考案の効果】
【０００５】
本考案は、業務用ゲーム機用コインの識別速度と正確性をアップできる業務用ゲーム機用コインの識別システムを提供している。
【図面の簡単な説明】
【０００６】
【図１】本考案のゲーム機用コインの正面図である。
【図２】本考案のコイン導入通路と識別センサの実施例の側面図である。
【図３】本考案の識別装置のホトセンサの実施例の側面図である。
【考案を実施するための形態】
【０００７】
図１から図３に示されるように、本考案は円形片体１、コイン導入通路２、及び識別センサ３を組み合わせてなる。
【０００８】
そのうち、円形片体１は、片体の同心円上に識別貫通孔１１が設けられ、該識別貫通孔１１は形状が規定された点状孔とされ、対応する識別装置は、コイン導入通路２と、該コイン導入通路２中に取り付けられて、ちょうど円形片体１をスライド式に通過させられる識別センサ３を包含する。
【０００９】
図２、３に示されるように、該識別センサ３は、複数対のホトセンサ３１で構成され、各対のホトセンサ３１は、コイン導入通路２の前後側に位置する発光極と受光極を包含し、且つ各ホトセンサ３１は円形片体１の識別貫通孔１１に対応する同心円上に取り付けられ、且つ識別センサ３の同心円の中心からコイン導入通路２底端２１の距離とコインの半径は一致する。
【００１０】
また、ホトセンサ３１と機具内の比較器が接続され、比較器中に予め標準データが保存されている。
【００１１】
ゲーム機用コインがコイン導入通路２を通り識別センサ３を通過する時、ゲーム機用コインの中心とホトセンサ３１の同心円の中心が重なり合う瞬間に、ホトセンサ３１は識別貫通孔１１を通過する光線位置データを採集し、さらに機具内の比較器中の標準データと比較し、一致すれば合格したゲーム機用コインとする。
【００１２】
不合格のゲーム機用コインを区別できるように、コイン導入通路２の後部にはコイン退出通路４が設けられ、識別センサ３が不合格と判断したゲーム機用コインは、ゲーム機内部の制御装置によりコイン退出通路４より退出させられる。
【００１３】
本考案の構造と装置は未だ市場及び刊行物に見られず、ゲーム機用コイン識別の速度と正確性をアップし、作用効果上、従来の技術より明かに改善されており、十分に実用新案登録の要件を具備している。
【００１４】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００１５】
１  円形片体          ２  コイン導入通路          ３  識別センサ
４  コイン退出通路    １１  識別貫通孔            ２１  底部
３１  ホトセンサ
【図１】
0003164219.tif 000003
【図２】
0003164219.tif 000004
【図３】
0003164219.tif 000005
(57)【要約】      （修正有）【課題】量産ができ、歯間にフッイトしやすく、歯間清掃において従来品よりよりよい結果が得られ、大型犬用のサイズのガムであっても、容易に手で割って小型犬用のサイズに分けて与える事ができるペット用ガムを提供する。【解決手段】押出成形法で螺旋状又は網目状又は円筒形に成形する事を特徴とする。押出成形機で獣皮粉砕物、ゼラチン、クロロフイル、澱粉、炭酸カルシウム、キタンサンガム、グルテン、ミルクフレーバー、プロテイン、野菜フレーバー、チーズ、肉フレーバー等１種及び２種以上からなる主原料を成形したガムである。【選択図】図１
0003164297.tif 000002
【実用新案登録請求の範囲】
【請求項１】
螺旋状の形状及び網目状及び円筒形の形状のペット用ガム
【考案の詳細な説明】
【技術分野】
【０００１】  ペットの歯間清掃用を目的とするペット用ガムである
【背景技術】
【０００２】  従来のペット用ガムは、扁平な棒状や歯ブラシ型および動物の骨のような形状及び小さい靴形のガム、または略球形状（実用新案３０９６６５５）や円柱状およびステック状を組み合わせたもの（実用新案３１４７１０５）があるが、ペットの歯の形状に起因して歯の一部にしかガムが当たらないという問題があった。また従来のガムは非常に硬いものが多く手で割ったりハサミで切ったりするのが困難で、複数のペットに与える場合、大型犬用、小型犬用というように用意する必要があった。
【先行技術文献】
【特許文献】
【０００３】
【特許文献１】  実用新案  ３０９６６５５  動物用ガム
【特許文献２】  実用新案  ３１４７１０５  歯間観清掃と冐粘膜修復を目的とする犬用ガム
【考案の概要】
螺旋状の形状及び網目状及び円筒形の形状のペット用ガム
【考案が解決しようとする課題】  従来の形状のガムは射出成形法によるものが多く金型代が高くコストがかかり、連続成形に不適で量産しにくいという問題がある。また（実用新案３１４７１０５）のものは製造するのに押出機が複数台必要であり、コストがかかるため、高価になるという問題があり、ガムが非常に硬くなり女性や老人、小児等が手で割ったりハサミで切るのが困難であるという問題がある。
【課題を解決するための手段】
【０００４】押出成形機で獣皮粉砕物、ゼラチン、クロロフイル、澱粉、炭酸カルシウム、キタンサンガム、グルテン、ミルクフレーバー、プロテイン、野菜フレーバー、チーズ、肉フレーバー等１種及び２種以上からなる主原料を螺旋状及び網目状及び円筒形状に成形したガムである。
【考案の効果】
【０００５】射出成形法によらず、フルーツキャップ等の成形加工に用いられている押出成形法での加工ができるため、量産ができる。
歯間にフッイトしやすく、歯間清掃において従来品よりよりよい結果が得られる。大型犬用のサイズのガムであっても、容易に手で割って小型犬用のサイズに分けて与える事ができる。
【図面の簡単な説明】
【０００６】
【図１】螺旋状の形状のペット用ガム
【図２】網目状の形状のペット用ガム
【図３】円筒形の形状のペット用ガム
【実施例】
【０００７】ペット用ガムを螺旋状及び網目状及び円筒形に成形する事により、ペットの歯に沿いやすくなり、歯間清掃によりよい結果が得られる。
【産業上の利用可能性】
【０００８】射出成形法によらず、押出成形法での加工ができるため量産できる。
【図１】
0003164297.tif 000003
【図２】
0003164297.tif 000004
【図３】
0003164297.tif 000005
【手続補正書】
【提出日】平成22年8月31日(2010.8.31)
【手続補正１】
【補正対象書類名】実用新案登録請求の範囲
【補正対象項目名】全文
【補正方法】変更
【補正の内容】
【実用新案登録請求の範囲】
【請求項１】
螺旋状の形状又は網目状または円筒形の形状のペット用ガム
【手続補正２】
【補正対象書類名】明細書
【補正対象項目名】０００４
【補正方法】変更
【補正の内容】
【０００４】  螺旋状の形状又は網目状又は円筒形の形状のペット用ガム
【手続補正３】
【補正対象書類名】明細書
【補正対象項目名】０００７
【補正方法】変更
【補正の内容】
【０００７】ペット用ガムを螺旋状又は網目状または円筒形に成形する事により、ペットの歯に沿いやすくなり、歯間清掃によりよい結果がえられる。
(57)【要約】【課題】墓地に燈明を供える際の強風や雨にも強く安定感もあり、本体の着脱も容易で掃除もし易く、屋内使用にあっては炎の熱に依る火傷や火災の危険が及ばないような、ロウソクの防風カバーを兼ね備え、耐久性と美観に優れた灯ろうの提供。【解決手段】断熱材に覆われた金属製屋根が上部に設けられた金属製角パイプ柱が金属製角パイプ台座にはめ込まれている事を特徴とする防風防炎型灯ろうであり、レーザ加工で任意の文字列を切り抜く事に依り美観にも優れている。【選択図】図１
0003164299.tif 000002
【実用新案登録請求の範囲】
【請求項１】
断熱材に覆われた金属製屋根が上部に設けられた金属製角パイプ柱が金属製角パイプ台座にはめ込まれている事を特徴とする防風防炎型灯ろう。
【考案の詳細な説明】
【技術分野】
【０００１】
安定感が有り、取り扱いが容易で墓参にも携行できる携帯型灯ろうに関する。
【背景技術】
【０００２】
従来の灯ろうは軽量で大きく、ロウソクの出し入れが容易で、デザインも様々である。
【０００３】
しかし、屋内用は軽量で大型が故に転倒に依る火災や手を差し込んでの灯火に依る火傷の危険性が有った。
【０００４】
墓参に携行出来るものについては、風雨に依る灯明の消滅が頻繁であり、着火の回数も多かった。
【０００５】
その問題を解決する為に、特許文献１のような提案がなされている。
【先行技術文献】
【特許文献】
【０００６】
【特許文献１】特開２００８−２１８３７６号公報
【考案の概要】
【考案が解決しようとする課題】
【０００７】
灯ろうの炎や熱に依る危険性が及ばず、簡単に取り扱いが出来、耐久性に優れ風雨に依り灯明が消えにくく、更に見た目にも綺麗な灯ろうの提供。
【課題を解決するための手段】
【０００８】
本考案は断熱材に覆われた金属製屋根が上部に設けられた金属製角パイプ柱が金属製角パイプ台座にはめ込まれている事を特徴とする防風防炎型灯ろうである。本考案の断熱材とはグラスウールが適当である。角パイプ柱の正面には任意の文字列をレーザー加工でくり抜く。
【考案の効果】
【０００９】
金属製にする事で安定感が生まれ、風雨にも強く炎が消えにくく、耐熱・断熱材を使用する事で炎の熱に依る危険が及ばない。はめ込み式により本体の着脱と掃除も容易である。文字をレーザー加工で製作する為、美観にも優れている。
【図面の簡単な説明】
【００１０】
【図１】図１は  組立図である。
【図２】図２は  レーザー加工で任意の文字列やはめ込み用の孔を切り抜く実施方法を示した説明図である。
【考案を実施するための形態】
【００１１】
設置に安定感の有る、携帯できる質量で綺麗な仕上がりになるよう実現した。
【実施例１】
【００１２】
図１は、金属製の台座用角パイプに差し込み用角柱をはめ込む。
【００１３】
図２は、金属製台座にはめ込む金属製角柱に任意の文字列を切り抜き、屋根となる金属製アングルを溶接し、アングルの上部表面に耐熱用にグラスウールを張り付ける。金属の表面が錆を誘引する物は、全体に耐熱塗料を塗布する。中に置き型の金属製燭台を入れる。
【産業上の利用可能性】
【００１４】
仏壇に配置して日々灯明を施し使用する事が出来る他、墓参の際に携行可能なサイズなので、携帯に便利である。任意の文字列に依っては、ペット用灯ろうとしても利活用出来る。
【符号の説明】
【００１５】
１    金属製角台座
２    任意の文字列が切り抜かれた金属製角柱
３    金属製アングル屋根
４    断熱性グラスウール
【図１】
0003164299.tif 000003
【図２】
0003164299.tif 000004
(57)【要約】      （修正有）【課題】地球の自転方向や回る様子が目視できる地球儀を提供する。【解決手段】地球儀と、地球儀の球体表面に沿うように配された地球儀の球体表面を回すための車輪と、車輪を動かすモーターとを備え、モーターが飛行物体等の模型で飾られている。【選択図】図１
0003164295.tif 000002
【実用新案登録請求の範囲】
【請求項１】
地球儀の球体表面を回すための車輪と、それを動かす仕掛を飛行物体等の模型で飾ったことを特徴とする装置。
【考案の詳細な説明】
【考案の概要】
【考案が解決しようとする課題】
【０００１】地球儀を単なる教材または置物として飾って置くだけではなく、地球を営みある生命体と見なし、その表象を具現化すべく躍動感を持たせ、目を楽しませる工夫があっても良かった。
【課題を解決するための手段】
【０００２】地球儀上部の回転軸受け近くより伸ばした可動アーム先端に、電気モーターにて駆動する車輪を球体表面の緯度に沿って地球の自転方向へ回すように配し、電気モーター及び車輪等を模型飛行物体で覆う様に飾ったものである。
【考案の効果】
【０００３】地球の自転方向や回る様子が目視できる上、飛行物体のプロペラ等を回す事により機械的な動きと生命体としての地球が相俟って、面白味を誘発し見る人の活動意欲を高める。
【図面の簡単な説明】
【０００４】
【図１】本考案の概略斜面図である。
【図２】本考案の動力部分側面拡大図である。
【符号の説明】
【０００５】１  地球儀本体
２  車輪
３  電気モーター及び回転軸
４  可動アーム
５  模型飛行物体
６  赤道
【図１】
0003164295.tif 000003
【図２】
0003164295.tif 000004
【手続補正書】
【提出日】平成22年9月1日(2010.9.1)
【手続補正１】
【補正対象書類名】実用新案登録請求の範囲
【補正対象項目名】全文
【補正方法】変更
【補正の内容】
【実用新案登録請求の範囲】
【請求項１】
地球儀と、地球儀の球体表面に沿うように配された地球儀の球体表面を回すための車輪と、車輪を動かすモーターとを備え、モーターが飛行物体等の模型で飾られていることを特徴とする地球儀。
(57)【要約】      （修正有）【課題】メガネケースにメガネスタンドの機能を持たせることにより、メガネケースとメガネスタンドのどちらにも使用可能なケース兼用スタンドを提供する。【解決手段】内側が凹曲に形成されたメガネ収容部１の一側にこのメガネ収容部１の上面開口を閉じる蓋体２を枢着してメガネケースを形成し、この蓋体２の外側中央に突出部５を蓋体２と一体に形成する。そして閉じた状態の蓋体２の上にメガネ６を載せメガネ中央の架橋部７を突出部５の正面に位置した状態で左右のつるを突出部の後方で交差させてメガネ６を蓋体２の上に載置する。【選択図】図１
0003164099.tif 000002
【実用新案登録請求の範囲】
【請求項１】
内側が凹曲に形成されたメガネ収容部の一側にメガネ収容部の上面開口を閉じる蓋体を枢着してメガネケースを形成すると共に、蓋体の外側中央に突出部を蓋体と一体に形成して、閉じた状態の蓋体の上にメガネを載せメガネ中央の架橋部を突出部の正面に位置した状態で左右のつるを突出部の後方で交差させてメガネを蓋体の上に載置してなるメガネスタンド兼用メガネケース。
【請求項２】
前記突出部が弾力に富む柔軟な材質で形成されていることを特徴とする請求項1記載のメガネスタンド兼用メガネケース。
【請求項３】
前記突出部が、外側が布地でその内側にクッション材が詰まった構造であることを特徴とする請求項1記載のメガネスタンド兼用メガネケース。
【請求項４】
前記メガネ収容部及び蓋体の外側全体を布地で被覆すると共に、蓋体を被覆する布地に前記突出部の外側の布地を接着することにより、蓋体と突出部が一体に形成されていることを特徴とする請求項３記載のメガネスタンド兼用メガネケース。
【考案の詳細な説明】
【技術分野】
【０００１】
これはメガネスタンドを兼ねたメガネケースの考案である。
【背景技術】
【０００２】
メガネを収容するメガネケースとメガネを立て懸けるメガネスタンドは、元来別々な物品である。メガネケースは主としてメガネをカバンなどに入れて持ち運ぶときに使用し、メガネスタンドはメガネをデスクなどの上に一時的に保管するのに使用する。
【考案の概要】
【考案が解決しようとする課題】
【０００３】
この考案はメガネケースにメガネスタンドの機能を持たせることにより、メガネケースとメガネスタンドのどちらにも使用可能にすることを目的とする。
【課題を解決するための手段】
【０００４】
この目的達成のためこの考案は次の構成になっている。
請求項１の考案では、内側が凹曲に形成されたメガネ収容部の一側にこのメガネ収容部の上面開口を閉じる蓋体を枢着してメガネケースを形成し、この蓋体の外側中央に突出部を蓋体と一体に形成する。そして閉じた状態の蓋体の上にメガネを載せメガネ中央の架橋部を突出部の正面に位置した状態で左右のつるを突出部の後方で交差させてメガネを蓋体の上に載置するという構成である。
請求項２の考案では、請求項１の突出部を弾力に富む柔軟な材質で形成するという構成である。
請求項３の考案では、請求項１の突出部が、外側が布地でその内側にクッション材が詰めた構成である。
請求項４の考案では、請求項３のメガネ収容部及び蓋体の外側全体を布地で被覆すると共に、蓋体を被覆する布地に前記突出部の外側の布地を接着することにより、蓋体と突出部が一体に形成されている構成である。
【考案の効果】
【０００５】
このように請求項１の考案によれば、メガネケースにメガネを収容できるだけでなく、掛けたメガネを外して突出部を利用して閉じた蓋体の上に安定して仮置きできるので、メガネスタンドとしても利用できる。
また請求項２の考案によれば、突出部が弾力に富む柔軟な材質で形成されているので、メガネを傷つけることなく載置できるし、請求項３の考案によれば、突出部の外側が布地で内側がクッション材で出来ているので、メガネのレンズを突出部で拭いて汚れを取るのに都合がよい。
さらに請求項４の考案によれば、蓋体を被覆する布地に突出部の外側の布地を接着するので、蓋体と突出部を確実容易に一体化でき、またメガネ収容部及び蓋体の外側全体を布地で被覆するので、手触りがよく布地の色彩や模様によりファッション性豊かな外観を呈することができる。
【図面の簡単な説明】
【０００６】
【図１】この考案の正面図でメガネスタンドとしての使用状態を示す。
【図２】図1の平面図である。
【図３】この考案の斜視図でメガネケースとしての使用状態を示す。
【図４】図1のメガネを省いた中央縦断面図である。
【図５】販売用ケースに収容した状態の斜視図である。
【考案を実施するための形態】
【０００７】
次にこの考案の実施態様を図面に示して説明する。
図１、２はメガネスタンドとして使用した状態を示し、図３はメガネケースとして使用した状態を示す。
【０００８】
１は内側が凹曲に形成されたメガネ収容部で、２は同形の蓋体で、それぞれプラスチックの成型品またはアルミニウムの薄板で出来ている。メガネ収容部１と蓋体２は両者の背面において、連結軸３を介して二枚貝のように開閉自在に枢着されている。連結軸３にはばね（図示省略）が内装されていて、蓋体２はメガネ収容部１に対しその上面開口４を閉鎖する方向に付勢され、またある角度（例えば90度）を越えて開くと開放状態を維持するように付勢される、という公知の構造になっている。
５は蓋体２の外側中央に蓋体２と一体に形成した突出部で、全体が弾力に富む柔軟な材質たとえば発泡スチロールまたはスポンジなどで形成するが、好ましくは、外側を布地で袋状に形成し、その内側にクッション材５bを詰めた構造とする。
【０００９】
そして図の例では、メガネ収容部１及び蓋体２の外側全体を布地１a、２aで被覆すると共に、蓋体２を被覆する布地２aに前記突出部５の外側の布地５aを接着し、蓋体２と突出部５を一体的に接続する。
そして閉じた状態の蓋体２の上にメガネ６を載せ、メガネ中央の架橋部７を突出部５の正面に位置させた状態で、左右のつる８を突出部５の後方で交差させてメガネ６を蓋体２の上に載置する。
【００１０】
このとき突出部５の形状を、図のように、動物やキャラクタの顔に似せ正面に眼鼻耳を配置し、これにメガネ６を載せると、あたかも動物がメガネをかけたように見え、また蓋体２を開けると動物の口の中にメガネが置かれているように見える（図１、３）。このため看る者に興趣を与える効果がある。突出部５は図の例に限らず様々な形状に形成できる。
【００１１】
図5の９は店頭で展示するための販売用ケースで、透明なプラスチックシートで出来ていて内部の商品（この考案のメガネケース）が透視できる。この販売用ケース９にはメガネの絵１０を印刷し、あたかも内部の商品にメガネをかけたように見せれば、商品の使用方法の説明になると同時に、消費者の注意を引き購買意欲を起こさせるという効果がある。
【符号の説明】
【００１２】
１  メガネ収容部
２  蓋体
５  突出部
６  メガネ
７  架橋部
８  つる
【図１】
0003164099.tif 000003
【図２】
0003164099.tif 000004
【図３】
0003164099.tif 000005
【図４】
0003164099.tif 000006
【図５】
0003164099.tif 000007
(57)【要約】      （修正有）【課題】着用時、滑り止め部材の存在により着用者に不快感を与えるような事態の生ずることなく、着心地良く、肌着等の着用をしない場合でもワイシャツの如き外衣を良好に保持し、ずり上り等を生じさせることのないブリーフを得る。【解決手段】ウエスト部端縁の天ゴム部３の外側面に、滑り止め樹脂４を塗着して設けたもので、滑り止め樹脂４としてはポリ塩化ビニル樹脂及び又はポリウレタン樹脂を用いている。滑り止め用樹脂４は、ウエスト部２の端縁の天ゴム部３の外側面に、ライン状に周回し、或は複数の点の集合よりなる図柄・文字を表現している。【選択図】図１
0003164021.tif 000002
【実用新案登録請求の範囲】
【請求項１】
ウエスト部端縁の天ゴム部外側面に、滑り止用樹脂を塗着して設けたことを特徴とするブリーフ。
【請求項２】
滑り止用樹脂は、天ゴム部をライン状に周回して設けられたことを特徴とする請求項１記載のブリーフ。
【請求項３】
滑り止用樹脂は、天ゴム部に模様を画いて配されたことを特徴とする請求項１記載のブリーフ。
【請求項４】
滑り止用樹脂の単位柄は、当該柄一面に広がった一連の樹脂で画かれたことを特徴とする請求項１記載のブリーフ。
【請求項５】
滑り止用樹脂は、平面視複数の点の集合よりなり、複数の点により図柄・文字を表現したことを特徴とする請求項１記載のブリーフ。
【請求項６】
滑り止用樹脂は、ポリ塩化ピニル樹脂、及び又は、ポリウレタン樹脂であることを特徴とする請求項１記載のブリーフ。
【考案の詳細な説明】
【技術分野】
【０００１】
本考案は、衣服特にワイシャツ，肌着着用時に人体の動きによって着用しているワイシャツ，肌着がずり上がるのを防止するシャツずり上り防止ブリーフに関する。
【背景技術】
【０００２】
現在一般に衣服を身に纏うときは、肌に接してシャツ，ブリーフ等の肌着を着用し、その上に外衣，ズボン等を重ねるのが普通であり、このような態様で衣服を着用した場合、上半身用の衣料と下半身用の衣料とが連続して構成された所謂コンビネーション或は繋ぎであれば上下の衣料にずれが生じたりする事は無いが、上下半身用が別途に構成されている衣服にあっては、身体の動きにつれて、身に付けている上下の衣服にずれが生じ着心地を悪くし、また、外見上もだらしの無いものとなった。
【０００３】
これを防止するために、ズボン或はスカートなどの衣服のウエスト部内側に突出した滑り止め部材を配して、着用したシャツをその外側からズボンのウエスト部で押さえ、ウエスト部に配した滑り止めによってズボンのずり上り等の動きを押さえたものが知られている（特許文献１）。
然し、この手段では滑り止め部材がズボン或はスカートのウエスト部から身体側に向けて突出しているために、ズボン或はスカートの着用時には常に滑り止めの突出部が身体に当たり、被服のずれ動きを阻止するための圧力を加えることになり、着心地が悪かったという結果となることがあった。
【０００４】
また、上半身被服の前身頃と後身頃の間に人体の股間部分を被ってずり上り防止サポーターを設けたもの（特許文献２）が知られているが、このずり上り防止サポーターはスナップボタン，ホック，面ファスナー等で固定するためにその扱いが極めて不便であった。
また、最近は肌着を着用せず素肌に直接ワイシャツを着る者も増加しており、このような態様でのワイシャツ等の外衣の着用時に着心地を良くする必要があった。
【先行技術文献】
【特許文献】
【０００５】
【特許文献１】国際公開番号ＷＯ９８／１６１２７号公報
【特許文献２】特開２００６−２４１６４７号公報
【考案の概要】
【考案が解決しようとする課題】
【０００６】
本考案シャツずり上り防止ブリーフは上記の点に鑑みて、着用時、滑り止め部材の存在により着用者に不快感を与えるような事態の生ずることなく、着心地良く、肌着等の着用をしない場合でもワイシャツの如き外衣を良好に保持し、ずり上り等を生じさせることのないブリーフを得ることを目的とする。
【課題を解決するための手段】
【０００７】
本考案ブリーフは、ウエスト部端縁の天ゴム部外側面に、滑り止め樹脂を塗着して設けたもので、滑り止め樹脂としてはポリ塩化ビニル樹脂及び又はポリウレタン樹脂を用いている。
滑り止め用樹脂は、ウエスト部端縁の天ゴム部外側面に、ライン状に周回し、或は複数の点の集合よりなる図柄・文字を表現している。
【考案の効果】
【０００８】
本考案ブリーフは、ウエスト部端縁の天ゴム部外側面に、滑り止め用樹脂を設けているために、ブリーフを穿き上半身衣料としてシャツを着用したときなどに、滑り止め用樹脂は外部を向くために、その存在により着用感を悪くする事態は生じず、シャツのずり上りを防止する。
【図面の簡単な説明】
【０００９】
【図１】本考案ブリーフの正面図。
【図２】本考案ブリーフの背面図。
【図３】Ａ，Ｂ，Ｃは天ゴム部に画かれた滑り止め用樹脂の図形の例を示す正面図。
【考案を実施するための形態】
【００１０】
本考案の実施の形態の一例を図面と共に次に説明する。
本考案ブリーフ１は、ブリーフとしての全体形状に関しては特に限定されないが、ウエスト部２の端縁に伸縮性の帯状生地よりなる天ゴム部３を周回して設けている。そして、天ゴム部３の表面には、滑り止め用樹脂４が塗着されている。
【００１１】
滑り止め用樹脂４は天ゴム部３の表面に線状に或は模様を画いて天ゴム部３より若干高く塗着されている。図１，２，３Ａに示す例は天ゴム部３の端縁に沿って細幅に、天ゴム部３を周回する状態に環状線を設けたもので、図３Ｂに示す例はブロック状の単位柄を列設し、図３Ｃはアルファベットを順不動に示している。
【００１２】
上記模様を画く場合、図３Ｂに示す如く１つの三角形の単位柄が一面に広がった一連の樹脂で画かれるか、図３Ｃで示すように細かい点の集合で画かれるか適宜採用される。即ち、滑り止め用樹脂４の天ゴム部３への塗着形状ではドット状，ブロック状，ロゴ形状，直線状，波形状等何れでも良いが天ゴム部３の全周にわたって塗着する。
滑り止め用樹脂は、ポリ塩化ビニル樹脂、又は、ポリウレタン樹脂，或はそれらを混合したものを用いている。
【００１３】
上記構成のブリーフを使用した場合、ブリーフの天ゴム部３に接する衣料は天ゴム部３表面の滑り止め用樹脂４でその動きが押さえられ該衣料のずり上りなどの動きは阻止され、特に、肌着を着用せずに素肌に直接ワイシャツを着る人にとっては効果的である。
【符号の説明】
【００１４】
１  ブリーフ
２  ウエスト部
３  天ゴム部
４  滑り止め用樹脂
【図１】
0003164021.tif 000003
【図２】
0003164021.tif 000004
【図３】
0003164021.tif 000005
(57)【要約】      （修正有）【課題】トリチェリの真空を容易に確認することができる実験装置を提供する。【解決手段】活栓付きの透明な耐圧ホースと真空容器を接続する。【選択図】図１
0003164001.tif 000002
【実用新案登録請求の範囲】
【請求項１】
本考案は、活栓付きの透明で細めな耐圧ホースと真空容器を接続させた大気圧との関  係でできるトリチェリの真空を確認する実験装置である。
【考案の詳細な説明】
【技術分野】
【０００１】
本考案は、両端に活栓を付けた透明な耐圧ホースと真空容器を接続させた水圧と大気圧との関係でできるトリチェリの真空を確認する実験装置である。
【背景技術】
【０００２】
従来、トリチェリの真空を水などの液体で確認する実験は装置が大規模すぎて実用的ではなかったために、一般的に実施されていなかった。大気圧による液柱の高さは液体の密度に関係し、水銀では７６ｃｍ程だが、水では10ｍ以上になることや、ホースやパイプに空気を入れないようにして水を１０ｍ以上も充填して密封する装置が中学校や高校などの施設では見あたらなかった。水銀と違い、水などの液体は気体成分を溶存していたり、蒸気圧によって想定した水位を確保しにくかった。
【考案の概要】
【考案が解決しようとする課題】
【０００３】
本考案は活栓をつけた１５ｍ〜２０ｍ程度の透明な耐圧ホースを真空容器に連結させ、真空ポンプを使い耐圧ホース内に水などの液体を密封することができる。細めで透明な耐圧ホースは水を充填させても軽量なので容易にホースの先端を１０ｍ以上の高さに引き上げることができ、トリチェリの真空部分を確認することが容易にできる。
【課題を解決するための手段】
【０００４】
本考案は、透明な細めの耐圧ホースの両端に活栓を取り付けて、一端を真空容器の内側に入れた耐圧ホースに接続させる。真空容器は付属の活栓によって真空ポンプに接続できる。真空ポンプの脱着により液体の注入や空気の減圧、注入ができる。
【考案の効果】
【０００５】
耐圧ホースの一方の活栓を液体容器に入れて、真空ポンプで減圧すると耐圧ホース内に液体を充填できる。事前に真空容器中で液体を減圧しておくことで溶存する気体を排除できるので従来よりもホース中での気泡が発生しにくく、目的の液体だけを充填しているのでトリチェリの真空状態に近づけられる。
【実施例１】
【０００６】
本考案の実施例と操作の内容である。
・ホースが長いので図中では中間部分を省略した。
・３つの活栓を閉じた状態なので耐圧ホース中に液体が充満している。
・耐圧ホースの一端に符号Aの活栓１を取り付け、活栓２は容器に取り付ける
・真空容器部分に活栓３を取り付け真空ポンプに接続し真空容器には液体が入る。
・液面の上部の気圧で耐圧ホースの液体と均衡を保つ。 
【図面の簡単な説明】
【０００７】
【図１】本考案の正面図である。
【図２】本考案の側面図である耐圧ホースの下部の活栓を開け、液面が下降してホースの上部にトリチェリの真空部分 ができる状態を示す。
【図３】本考案の実用例である。
【符号の説明】
【０００８】
Ａ：活栓１とする。活栓１が耐圧ホースの先端に接続する。
Ｂ：１５ｍ〜２０ｍ程の透明な耐圧ホース。液体が充満している。      
Ｃ：ホースが長いので図中では中間部分を省略した。
Ｄ：活栓２とゴム栓。活栓２とゴム栓で耐圧ホースを真空容器に連結させ、活栓２で
耐圧ホース内の液体を開閉する。
Ｅ：活栓３は真空容器と真空ポンプを連結する。活栓３の開閉で容器内の気圧を調節
する。
Ｆ：真空容器。
Ｇ：真空ポンプ。真空容器Ｆと連結して、容器内を減圧させる。 
【図１】
0003164001.tif 000003
【図２】
0003164001.tif 000004
【図３】
0003164001.tif 000005
(57)【要約】      （修正有）【課題】電車の車輌と車輌間のドアを開ける時、ほとんどスムーズに開けられ、電車間のドアを開け、手を放すとすべり落ちるように自動的に閉まる車輌間のドアを提供する。【解決手段】車輌間のドアを菱形としドアを開ける時、ややドアを斜め上に上げる力で開ける事が出来、手を放すと地球の引力で自動的に閉まる。【選択図】図２
0003164006.tif 000002
【実用新案登録請求の範囲】
【請求項１】
電車の車輌と車輌の間の通路用ドアの形を菱形にする。
【考案の詳細な説明】
【技術分野】
【０００１】
【背景技術】
【０００２】
【考案の開示】
【考案が解決しようとする課題】  今まで電車からとなりの電車に移動する時、電車の自動ドアを開ける時、電車を自動で閉める為の力と電車のドアを開ける力とを必要としてドアを開けていました。
その為、ドアが簡単にスムーズに開かなく最初かなりの力を必要としていました。
小さな子供には無理な力であったかもしれません。
【課題を解決するための手段】  自動ドアの力を無くし出来るだけドアを開けるだけに近い菱形ドアにしドアの車輪を３個にし真ん中のやや大きい車輪▲２▼だけでドアの重さを支え左右の車輪▲１▼▲３▼は補助程度とする。
【考案の効果】電車の車輌と車輌間のドアを開ける時、ほとんどスムーズに開けられる。
電車間のドアを開け手を放すとドアは底辺が斜めになっている為、すべり落ちるように自動的に閉まる。
【考案を実施するための最良の形態】
【実施例】
【産業上の利用可能性】
【図面の簡単な説明】
【図１】図１は車輌間の電車のドアが開ける前の状態図
【図２】図２は車輌間の電車のドアを手で開けた時の状態
【符号の説明】▲１▼はドアに付けられたやや宙に浮いた車輸
▲２▼はドア自体をささえるやや大きめの車輸
▲３▼はドアにつけられたやや宙に浮いた車輸
【図１】
0003164006.tif 000003
【図２】
0003164006.tif 000004
(57)【要約】      （修正有）【課題】厨房排水の水質改善と厨房の清掃を容易にするため、厨芥捕捉ネットを受け篭に取り付け易く、且つ、外れ難く出来る厨芥捕捉ネットを取り付ける枠を提供する。【解決手段】取付け枠１０は、受け篭の上部開口部に嵌め込む形状であり、その外寸法は受け篭の外寸法に合わせ、内寸法は使用する厨芥捕捉ネット４０の口径に合わせた枠形である。この取付け枠１０の内側開口部には厨芥捕捉ネット４０を引掛ける複数のネット引掛けピン２０が上向きに付いている。また、押さえ金具３０は取付け枠のネット引掛けピン２０の取付け位置に対応した箇所に引掛けピン通し穴が有り、しかも蝶番３２で取付け枠と固定されていて上下に開閉し取付け枠に重なるので、前記引掛けピンに前記ネットを引掛けて、その上に押さえ枠を重ねると前記ネットは押さえ枠の下になり外れない。【選択図】図２
0003164007.tif 000002
【実用新案登録請求の範囲】
【請求項１】
グリース阻集器の受け篭に厨芥捕捉ネットを取付ける枠であって、この取付け枠の内側開口部に厨芥捕捉ネットを引掛ける複数のネット引掛けピンと、前記ネット引掛けピンの取付け位置に対応した箇所に引掛けピン通し穴を開け、蝶番で上下に開閉する押さえ金具を有する取付け枠。
【考案の詳細な説明】
【技術分野】
【０００１】  本考案はグリース阻集器の受け篭に厨芥捕捉ネットを取付ける枠に関する。
【背景技術】
【０００２】  業務用厨房から出る排水には多量の油脂と魚介や野菜屑など固形物（以下「厨芥」と言う）が混入しているからグリース阻集器を設置し、グリース阻集器の受け篭で厨芥を捕捉し、次の工程で排水から油脂を分離し、厨芥や油脂を含まない水を公共下水道に排水しているが、この排水中の厨芥の捕捉率を更に上げて、グリース阻集器の底部に堆積、腐敗する厨芥を減らすために受け篭の穴径より細かい網目の厨芥捕捉ネットを装着している。しかし、受け篭の取手が障害となり前記ネットを受け篭に紐で縛るかゴムバンドで挟むなど取付けに手間が掛かり、しかも前記ネットを受け篭に固定する固定用具が無いので厨芥や排水の落下衝撃で前記ネットが外れて、受け篭の穴から流出し底部で腐敗した厨芥や油脂類の毎日の汲み上げ作業や受け篭の清掃等が厨房の３Ｋ作業（くさい、きたない、きつい）と忌避され、グリース阻集器の清掃作業では手抜きして公共下水に厨芥や油脂類が混入した厨房排水を放流しているケースが多い。
即ち、法律や条例でグリース阻集器の設置が義務付けられているから設置しているが、その運用はグリース阻集器設置の趣旨に反しているのが実態である。
【考案の概要】
【考案が解決しようとする課題】
【０００３】  本考案はグリース阻集器の受け篭に厨芥捕捉ネットを簡易に装着出来て且つ外れ難くする用具を開発し厨房排水の水質改善と厨房の清掃負担の軽減が課題である。
【課題を解決するための手段】
【０００４】  本考案請求項１に記載のグリース阻集器の受け篭に厨芥捕捉ネットを取付ける枠であって、この取付け枠の内側開口部に厨芥捕捉ネットを引掛ける複数のネット引掛けピンと、前記ネット引掛けピンの取付け位置に対応した箇所に引掛けピン通し穴を開け、蝶番で上下に開閉する押さえ金具を有する取付け枠である。
【考案の効果】
【０００５】  厨芥捕捉ネットの取付けが簡易で且つ受け篭から外れ難くなる。
即ち前記ネットの取付けは本考案の取付け枠のネット引掛けピンに前記ネットを引掛け、その上から押さえ金具を重ねるだけ、取り外しは、重ねた押さえ金具を外して前記ネットを手で引き上げて外し、厨芥入りのネットを捨てれば良いので、厨房の３Ｋ作業が減り、その上作業時間短縮の効果が大きい。
【考案を実施するための最良の形態】
【０００６】  本考案のグリース阻集器の受け篭に厨芥捕捉ネットを取付ける取付け枠１０は、ネット引掛けピン２０と押さえ金具３０を有する。
その仕組み構造を実施例に基づき図面を参照して説明する。【０００７】  グリース阻集器の受け篭に厨芥捕捉ネットを取付ける取付け枠１０（以下取付け枠１０と言う）は受け篭の上部開口部に嵌め込むが、この取付け枠１０が受け篭の取手と衝突する場合は、前記取付け枠１０の衝突箇所を切り欠く。この前記取付け枠１０の上部開口部フレームの外寸法は受け篭の外寸法に合わせ、内寸法は使用する厨芥捕捉ネット４０の口径寸法に合わす。この取付け枠１０の内側開口部には厨芥捕捉ネット４０を引掛ける複数のネット引掛けピン２０を厨芥捕捉ネットの口径寸法の合わせて上向きに取り付ける。【０００８】  押さえ金具３０は取付け枠１０の上部開口部フレームに蝶番３２で固定され上下に開閉する。この押さえ金具３０には取付け枠１０のネット引掛けピン２０の取付け位置に対応して引掛けピン通し穴３１を開けてあるので、押さえ金具３０が取付け枠１０の上部フレームに重なるから取付け枠１０と押さえ金具３０の間に厨芥捕捉ネット４０を置けば外れない。【０００９】  以下受け篭に取付け枠１０と厨芥捕捉ネット４０の取付けについて説明する。【００１０】  受け篭に取付け枠１０を取付ける場合は、前記取付け枠１０の外寸法を前記受け篭の外寸法に合わせてあるので、受け篭上部の開口部に取付け枠１０を嵌め込み、更に前記取付け枠１０のネット引掛けピン２０に厨芥捕捉ネット４０を引掛ければ良い。【００１１】  次に、押さえ金具３０について説明する。【００１２】  取付け枠１０のネット引掛けピン２０に厨芥捕捉ネット４０を引掛けて押さえ金具３０を重ねると、前記取付け枠１０と押さえ金具３０の間に挟まれて前記ネット４０が外れない。【００１３】  厨芥捕捉ネット４０を取り外す場合は、前記ネット４０に重なっている押さえ金具３０を上方に引き上げ、次に前記ネット４０を取付け枠１０のネット引掛けピン２０から外す。
【産業上の利用可能性】
【００１４】  厨房で毎日行うグリース阻集器の底部に堆積した厨芥や油脂類の汲み上げ等の清掃作業が厨房の３Ｋ作業（くさい、きたない、きつい）と忌避され、清掃作業は手抜きしてグリース阻集器設置の趣旨に反して厨芥や油脂類が混入した厨房排水を公共下水に放流している現状を変えるために、本考案の厨芥捕捉ネットの取付け枠によって厨芥捕捉ネットの着脱を容易にし、そのうえ厨房排水の水質改善と厨房の清掃負担を軽減する。
【図面の簡単な説明】
【００１５】
【図１】  厨芥捕捉ネット４０を装着した取付け枠１０を示した側面図である。
【図２】  厨芥捕捉ネット４０を装着した取付け枠１０を示した平面図である。
【図３】  取付け枠１０から押さえ金具３０が蝶番３２で開いた状態を示した側面図である。
【図４】  図２の部分５の拡大図である。
【符号の説明】
【００１６】  １０  グリース阻集器の受け篭に厨芥捕捉ネットを取付ける嵌め枠
２０  ネット引掛けピン
３０  押さえ金具
３１  引掛けピン通し穴
３２  蝶番
４０  厨芥捕捉ネット
【図１】
0003164007.tif 000003
【図２】
0003164007.tif 000004
【図３】
0003164007.tif 000005
【図４】
0003164007.tif 000006
(57)【要約】      （修正有）【課題】インテリア性・実用性に優れ、しかも長期間にわたって芳香性を維持できるようスティックが改善された吸液タイプの造花を提供する。【解決手段】複数枚のペーパーを花弁として折込んで開花状態にした花部分と、この花部分の収束端から延び、芳香液を収容した容器内に挿し込まれるスティックとからなる。スティックは、葦からなる。花部分は、ソラの木や桑の木の皮など細かい繊維質を有するペーパーによって作成されている。【選択図】図１
0003164011.tif 000002
【実用新案登録請求の範囲】
【請求項１】
複数枚のペーパーを花弁として折込んで開花状態にした花部分と、この花部分の収束端から延び、芳香液を収容した容器内に挿し込まれるスティックとからなる吸液タイプの造花において、
前記スティックは、葦からなることを特徴とする吸液タイプの造花。
【請求項２】
前記花部分は、ソラの木や桑の木の皮など細かい繊維質を有するペーパーによって作成されていることを特徴とする請求項１記載の吸液タイプの造花。
【考案の詳細な説明】
【技術分野】
【０００１】  本考案は、芳香液を吸上げ、揮発させることで香りの効能を維持し、またインテリア性にも優れた吸液タイプの造花に関する。
【背景技術】
【０００２】  従来、芳香性を利用した造花には、芳香液を予め含浸又は滴下して蒸発させる含浸タイプや、容器内に入れた芳香液を吸上げ揮発させるようにした吸液タイプ（例えば、特許文献１）のものが知られている。【０００３】
【特許文献１】実用新案登録第３１１９８３４号公報
【０００４】  しかしながら、前記公報に見られるものは、芳香液の吸収が充分でなく、観賞の対象としても、その種類に限界があるものである。
【考案の開示】
【考案が解決しようとする課題】
【０００５】  解決しようとする課題は、芳香性のある造花として、長期間の効能維持や実用性・インテリア性に優れた吸液タイプの造花の提供が問題になっている。
本考案は、上述の課題に鑑みなされたもので、これらの問題点を基本的に解消し得ることを目的としている。
【課題を解決するための手段】
【０００６】  本考案に係る請求項１記載の吸液タイプの造花は、複数枚のペーパーを花弁として折込んで開花状態にした花部分と、この花部分の収束端から延び、芳香液を収容した容器内に挿し込まれるスティックとからなる吸液タイプの造花において、前記スティックは、葦からなることを特徴とする。【０００７】  上記構成によれば、吸液タイプの造花は、葦からなるスティックを採用していることから、自立性及び芳香液の吸収に優れ、これに伴って花部分の芳香液による揮発及び色変化も有効に機能する。【０００８】  本考案に係る請求項２記載の吸液タイプの造花は、前記花部分がソラの木や桑の木の皮からなど細かい繊維質を有するペーパーによって作成されていることを特徴とする。
上記構成によれば、花部分が細かい繊維で作成されるため芳香液の吸収が充分で、しかもゆっくり進行することから、芳香性の揮散が長期間にわたって安定し花弁の色の変化も充分に鑑賞できるものである。
【考案の効果】
【０００９】  本考案に係る吸液タイプの造花では、芳香液を入れた容器と組合せられ、しかもスティックからの芳香液の吸収も高められていることから、基本的に実用性及びインテリア性に優れるものである。
また、本考案に係る吸液タイプの造花は、ソラの木や桑の木の皮が淡色系であることから、赤の芳香液の場合ではバラやチューリップなど、青の芳香液の場合ではアジサイやアサガオなど花の色の変化を選択できるという利点を有する。
【考案を実施するための最良の形態】
【００１０】  本考案に係る吸液タイプの造花は、複数枚のペーパーを花弁として折込んで開花状態にした花部分と、この花部分の収束端から延び、芳香液を収容した容器内に挿し込まれるスティックとから構成され、このスティックが葦からなるものである。吸液タイプの造花として最も好適なのは、葦のスティック及びソラの木や桑の木の皮からなるペーパーで作成された花部分の場合である。
【実施例】
【００１１】  以下、本考案に係る吸液タイプの造花について、添付図面を参照しながら実施形態を詳細に説明する。図１は、本考案に係る吸液タイプの造花を示す概念的な斜視図、図２は、本考案に係る吸液タイプの造花５本を芳香液の入った容器に配置した状態を示す概念的な斜視図である。
実施例に見られる吸液タイプの造花１は、一輪挿しのバラを示したものであるが、本考案の目的によれば、バラ以外のチューリップなど各種の花部分２に適用可能である。
前記花部分２を構成するペーパーは、細かい繊維質を有するものであれば適用可能であるが、本実施例では、ソラの木の皮からなるものを適用し、複数枚の花弁３を折込んで花部分２を作成した。この場合、ソラの木の皮は、淡色系で繊維が非常に細かいため、桑の木の皮と同様に吸液タイプのものには好適することが知られている。
前記花部分２の収束端４の端面には、自立可能なスティック５が延びるように設けられ、例えば糸６などで縛ることで一体的に固定される。
前記スティック５は、繊維質に富み自立性が可能な葦が適用されており、芳香液に対する吸収性を向上させている。特に、特許文献１に示された木製のスティックに比べ格段の優位さが認められ、花部分２の吸収性によって芳香性が向上する。
図２では、本考案に係る吸液タイプの造花を芳香液の入った容器７に配置したものが示されている。この場合、容器７は、一輪挿しの花部分２との組合せによって好適か否かが判断される。なお、図では示していないが、通常、芳香液が見えるような透明性のあるものが利用されている。
前記芳香液は、一般的には、揮発しにくいラベンダー油、オレンジ油、ジャスミン油などの天然香料などが好適する。また、芳香液の色についても、花部分２を淡色系のソラの木の皮で構成するようにすれば、赤系統や青系統のものを適宜利用できる。
【図面の簡単な説明】
【００１２】
【図１】  本考案の実施形態に係る吸液タイプの造花を示す概念的な斜視図である。
【図２】  本考案の実施形態に係る吸液タイプの造花を芳香液の入った容器に配置した状態を示す概念的な斜視図である。
【符号の説明】
【００１３】１  吸液タイプの造花
２  花部分
３  花弁
４  収束端
５  スティック
６  糸
７  容器
【図１】
0003164011.tif 000003
【図２】
0003164011.tif 000004